(57)【要約】【課題】本発明は、ミスト機能を用いたカビ抑制運転を有するミスト機能付き浴室暖房乾燥機を提供すること。【解決手段】浴室内部からの空気や水の浸入を防止し、浴室リモコン５内部を浴室空間から遮断した構造と、浴室壁面４に密着して配置し、浴室リモコン５内部の温度検出手段２４で検出した浴室壁面の温度情報により、ミスト発生手段と、加熱手段、および送風手段を運転制御し、浴室壁面温度が所定の温度（４０℃）以上、所定の時間（６０分）継続するように、浴室内へ湿熱空気を送風する。【選択図】図６
2014161338.tif 000002
【特許請求の範囲】
【請求項１】
水、または、温水をミスト化するミスト発生手段と、浴室内の空気を加熱する加熱手段と、浴室内の空気を循環送風する送風手段と、これらミスト発生手段、加熱手段、送風手段の運転を制御する本体制御手段を備え、浴室内壁面を所定の温度に所定の時間継続するカビ抑制運転を行う本体と、前記本体制御手段と通信ケーブルで接続する浴室リモコンを備え、前記浴室リモコンは、浴室内壁面に密着する形で設置され、浴室内部からの空気や水の浸入を防止した構造を有し、この浴室リモコンの内部には、内部の温度を検出する温度検出手段と、前記温度検出手段で検出した温度情報を前記浴室内壁面の温度情報とし前記本体制御手段へ送信するリモコン制御手段を備えたミスト機能付き浴室暖房乾燥機。
【発明の詳細な説明】
【技術分野】
【０００１】
本発明は、ミスト機能を用いたカビ抑制運転を有する浴室暖房乾燥機に関するものである。
【背景技術】
【０００２】
例えば、ミスト機能を用いたカビ抑制運転を有する浴室暖房乾燥機の構成は、次のような構成となっていた。
【０００３】
すなわち、カビ菌糸先端の成長を停止させ、増殖を抑制するために、ミスト機能により供給された水をミスト化し、ミストを含んだ空気を熱交換器で加熱し、高温のミストにした状態で浴室内に噴霧し、浴室内を湿熱状態とし、壁面付近に薄い結露膜を生成する構成となっていた（例えば特許文献１参照）。
【先行技術文献】
【特許文献】
【０００４】
【特許文献１】特開２０１０−０５７６５４号公報
【発明の概要】
【発明が解決しようとする課題】
【０００５】
上記従来例で課題となるのは、浴室内を湿熱状態とするために高温のミストを所定の時間噴霧するが、浴室壁面温度が、浴室周囲の環境や、浴室壁面の断熱構造等により、カビ繁殖を抑制できる所定の温度（４０℃）を所定の時間（６０分）継続できないということである。
【０００６】
例えば、所定の時間（６０分）の噴霧では、浴室壁面の断熱性能が低い場合には、浴室壁面と浴室内部空間の温度差が大きくなり、浴室内に投入される熱量は、浴室内の空気を暖めることは容易にできるが、同様に浴室壁面の温度を暖めることは困難であった。すなわち、浴室内の空気温度からは浴室壁面が４０℃を所定の時間（６０分）継続しているか判断できない。
【０００７】
そこで本発明は、浴室周囲環境に左右されず、カビが繁殖する浴室内壁面の温度を所定の時間（６０分）、所定の温度（４０℃）以上にすることを目的とするものである。
【課題を解決するための手段】
【０００８】
そして、この目的を達成するために本発明は、
水、または、温水をミスト化するミスト発生手段と、浴室内の空気を加熱する加熱手段と、浴室内の空気を循環送風する送風手段と、これらミスト発生手段、加熱手段、送風手段の運転を制御する本体制御手段を備え、浴室内壁面を所定の温度に所定の時間継続するカビ抑制運転を行う本体と、前記本体制御手段と通信ケーブルで接続する浴室リモコンを備え、前記浴室リモコンは、浴室内壁面に密着する形で設置され、浴室内部からの空気や水の浸入を防止した構造を有し、この浴室リモコンの内部には、内部の温度を検出する温度検出手段と、前記温度検出手段で検出した温度情報を前記浴室内壁面の温度情報とし前記本体制御手段へ送信するリモコン制御手段を備えたものであり、これにより所期の目的を達成するものである。
【発明の効果】
【０００９】
以上のように、本発明は、
水、または、温水をミスト化するミスト発生手段と、浴室内の空気を加熱する加熱手段と、浴室内の空気を循環送風する送風手段と、これらミスト発生手段、加熱手段、送風手段の運転を制御する本体制御手段を備え、浴室内壁面を所定の温度に所定の時間継続するカビ抑制運転を行う本体と、前記本体制御手段と通信ケーブルで接続する浴室リモコンを備え、前記浴室リモコンは、浴室内壁面に密着する形で設置され、浴室内部からの空気や水の浸入を防止した構造を有し、この浴室リモコンの内部には、内部の温度を検出する温度検出手段と、前記温度検出手段で検出した温度情報を前記浴室内壁面の温度情報とし前記本体制御手段へ送信するリモコン制御手段を備えたことにより、
浴室壁面の温度を検出できるため、
浴室周囲の環境（例えば浴室の材質、断熱性等）に左右されることなく、
カビが繁殖する浴室内壁面の温度を、
所定の温度（４０℃）以上、所定の時間（６０分）継続できるため、
カビの発生を抑制することができるとう効果が得られるミスト機能付き浴室暖房乾燥機を提供することができる。
【図面の簡単な説明】
【００１０】
【図１】本発明の実施の形態１におけるミスト機能付き浴室暖房乾燥機の斜視図
【図２】同ミスト機能付き浴室暖房乾燥機の本体の垂直断面の構成図
【図３】同ミスト機能付き浴室暖房乾燥機の本体の構成を示す構成図
【図４】同浴室リモコンの構成を示す構成図
【図５】同浴室リモコンの設置状態を示す垂直断面の構成図
【図６】同カビ抑制運転の制御を示すフローチャート
【発明を実施するための形態】
【００１１】
本発明の請求項１記載のミスト機能付き浴室暖房乾燥機は、
水、または、温水をミスト化するミスト発生手段と、浴室内の空気を加熱する加熱手段と、浴室内の空気を循環送風する送風手段と、
これらミスト発生手段、加熱手段、送風手段の運転を制御する本体制御手段を備え、
浴室内壁面を所定の温度に所定の時間継続するカビ抑制運転を行う本体と、
前記本体制御手段と通信ケーブルで接続する浴室リモコンを備え、
前記浴室リモコンは、浴室内壁面に密着する形で設置され、浴室内部からの空気や水の浸入を防止した構造を有し、この浴室リモコンの内部には、内部の温度を検出する温度検出手段と、前記温度検出手段で検出した温度情報を前記浴室内壁面の温度情報とし前記本体制御手段へ送信するリモコン制御手段を備えたものである。
【００１２】
これにより、浴室内部からの空気や水の浸入を防止した構造は、浴室リモコン内部を浴室空間から遮断し、さらに浴室壁面に密着して配置することで、浴室壁面からの熱伝導により、浴室リモコン内部の温度検出手段で浴室壁面温度を検知することとなり、リモコン制御手段は、温度検出手段で検出した浴室壁面の温度情報を、通信ケーブルを介して浴室暖房乾燥機の本体制御手段へ送信することができ、本体制御手段は、ミスト発生手段と、加熱手段、および送風手段を、前記浴室壁面の温度情報により運転制御し、浴室壁面温度が所定の温度を所定の時間継続するように、浴室内へ湿熱空気の送風ができ、カビの発生を抑制することができるという効果を有する。
【００１３】
以下、本発明の実施の形態について、図面を参照しながら説明する。
【００１４】
（実施の形態１）
図１は、本発明の実施の形態におけるミスト機能付き浴室暖房乾燥機の斜視図であり、この図１に示すように、浴室１の天井面２には、ミスト機能付き浴室暖房乾燥機である本体３が取り付けられ、浴室壁面４の浴室側に浴室リモコン５が取り付けられ、この浴室リモコン５と前記ミスト機能付き浴室暖房乾燥機の本体３が浴室壁面外側から通信ケーブル６で接続される。
【００１５】
本体３は、図２に示すように、吸込口７と排気口８を有する本体ケース９と、この本体ケース９内の吸込口７と排気口８とを結ぶ風路に設けた加熱手段としての熱交換器１０、および送風手段としてのファンモータ１１と、このファンモータ１１と排気口８との間に設けたミスト発生手段１２と、これら熱交換器１０、ファンモータ１１、ミスト発生手段１２の運転制御を行う本体制御手段１３を備えた構成としている。
【００１６】
ミスト発生手段１２は、図２に示すように、垂直方向に配置され、上方開口部および下方開口部を有する筒状の経路１４と、この筒状の経路１４の下部に貯水部１５を設け、ミスト発生手段１２の上部に、前記貯水部１５に水を供給する給水弁１６を備えた給水管１７が設けられている。
【００１７】
また、貯水部１５に貯水される水に下部が浸かるように配置される揚水管１８とこの揚水管１８に、回転板１９ａ、回転板１９ｂ、回転板１９ｃと、この回転板１９ａ、回転板１９ｂ、回転板１９ｃに貯水部１５から吸い上げた水を供給する開口部２０ａ、開口部２０ｂを回転板１９ａ、回転板１９ｂの間、および回転板１９ｂ、回転板１９ｃの間に設け、揚水管１８と回転板１９ａ、回転板１９ｂ、回転板１９ｃを回転させ回転モータ２１で構成され、揚水管１８と回転板１９ａ、回転板１９ｂ、回転板１９ｃを回転させることで、貯水部１５の水を吸い上げ、開口部２０ａ、開口部２０ｂから回転板１９ａ、回転板１９ｂ、回転板１９ｃに供給することで水をミスト化する。
【００１８】
本実施の形態では、揚水管１８の上方から下方へ回転板１９ａ、回転板１９ｂ、回転板１９ｃと３枚の回転板を設ける構成とする。
【００１９】
次に本体制御手段１３の構成を図３を用いて説明する。
【００２０】
図３に示すように、本体制御手段１３は、本体制御マイコン２２と、浴室リモコン５との情報伝達を行う本体通信部２３で構成されている。
【００２１】
本体通信部２３は、浴室リモコン５に備え、内部の温度を検出する温度検出手段２４の情報を、リモコン制御手段２５から通信ケーブル６を介して伝達される情報を本体制御マイコン２２へ伝達する。
【００２２】
本体制御マイコン２２は、本体通信部２３から伝達された浴室リモコン５からの情報により、熱交換器１０の加熱制御、ファンモータ１１の駆動制御、ミスト発生手段１２の駆動制御を行う。
【００２３】
次に浴室リモコン５のリモコン制御手段２５について図４を用いて説明する。
【００２４】
図４に示すように、リモコン制御手段２５は、前記温度検出手段２４と、リモコン制御マイコン２６と、本体制御手段１３に設けた本体通信部２３との情報伝達を行うリモコン通信部２７と、本体３の運転指令を入力する操作部２８と、本体３の運転状態を表示する表示部２９で構成されている。
【００２５】
リモコン制御マイコン２６は、操作部２８の操作情報、温度検出手段２４で検出された温度情報が入力され、入力された情報をリモコン通信部２７へ伝達し、操作部２８で操作された内容を基に、表示部２９へ本体３の動作状態を表示するように出力する。
【００２６】
リモコン通信部２７は、リモコン制御マイコン２６から出力された情報を本体通信部２３に通信ケーブル６を介して出力する。
【００２７】
次に、浴室リモコン５の構造と浴室壁面への取り付け構成を、図５を用いて説明する。
【００２８】
図５に示すように、浴室リモコン５は、表ケース３０と裏ケース３１の勘合部３２が重なる形で接合されるとともに、勘合部３２を溶融することで、表ケース３０と裏ケース３１の勘合部３２を完全に密着させる。
【００２９】
勘合部３２の密着は、例えば熱を用いて溶融する方法や超音波を用いて溶融する方法がある。
【００３０】
表ケース３０には、操作部２８の操作を行う開口部３３ａと、表示部２９の表示を行う開口部３３ｂを密閉するように防水性能を有する化粧パネル３４で覆われている。
【００３１】
裏ケース３１は、通信ケーブル６をリモコン制御手段２５へ引き込むケーブル引込用開口３５を閉塞するように通信ケーブル６を覆うように挿入するゴム状のブッシングで構成したケーブル引込用開口３５で密閉されている。
【００３２】
また、浴室リモコン５は、浴室壁面４と接する部分に浴室内の空気や水が浸入することがないように、表面に粘着材を有するウレタンシート３６を貼り付け浴室壁面へ取り付ける。
【００３３】
以上の構成において、次に動作を説明する。
【００３４】
図６のフローチャートに示すように、カビ抑制運転開始信号がリモコン制御手段２５の操作部２８から入力されると、リモコン制御マイコン２６、リモコン通信部２７、通信ケーブル６を経由し、その信号が本体制御手段１３の本体通信部２３に伝達され、本体制御マイコン２２に伝達され、熱交換器１０、ファンモータ１１、ミスト発生手段１２が本体制御マイコン２２の指令により運転を開始し、本体３はカビ抑制運転を開始し、吸込口から吸い込まれた浴室内の空気を湿熱空気とし、排気口より浴室内に供給することになる（図６のＳ１）。
【００３５】
そして、前記湿熱空気により浴室内および浴室壁面が加湿、加熱されると、浴室壁面の温度が熱伝導により浴室リモコン５に伝わり、浴室リモコン５は浴室壁面温度となるため、温度検出手段２４により検出した温度情報を、カビ抑制運転開始信号と同様に、リモコン制御手段２５のリモコン制御マイコン２６、リモコン通信部２７、通信ケーブル６を経由し、その温度情報が本体制御手段１３の本体通信部２３に伝達され、本体制御マイコン２２に伝達され、温度検出手段２４の検出温度が４０℃以上となるように運転を継続する（図６のＳ２）。
【００３６】
そして、温度検出手段２４の検出温度が４０℃以上となると、本体制御マイコン２２で時間（Ｔ）のカウントが開始され、（図６のＳ３）以降、時間（Ｔ）のカウントが６０分に達するまで熱交換器１０、ミスト発生手段１２を浴室壁面の温度を４０℃以上に維持するように運転制御する（図６のＳ４、Ｓ５、Ｓ６）。
【００３７】
そして、時間（Ｔ）のカウントが６０分を経過すると、熱交換器１０、ファンモータ１１、ミスト発生手段１２を停止し、（図６のＳ７）カビ抑制運転を終了する。
【００３８】
以上、本実施の形態１では、ミスト発生手段１２を貯水部１５に貯水される水を揚水管１８と回転板１９ａ、回転板１９ｂ、回転板１９ｃと回転モータ２１により水をミスト化する構成としたが、水をミスト化できれば、貯水部の水を超音波を利用したミスト化手段や、熱を利用し蒸気化するミスト化手段や、貯水部を設けず、給水管の筒状の経路内に水を供給する部分に微細な開口を有する吹き出しノズルを利用する手段でもよい。
【００３９】
また、表面に粘着材を有するウレタンシート３６により浴室リモコン５を浴室壁面４に貼り付けたが、浴室壁面４と浴室リモコン５の接する面に浴室内の空気や水が浸入することがなければウレタンシートでなくてもよい。
【産業上の利用可能性】
【００４０】
以上のように、本発明のミスト機能付き浴室暖房乾燥機は、浴室壁面の温度を検出できるため、浴室周囲の環境（例えば浴室の材質、断熱性等）に左右されることなく、カビが繁殖する浴室内壁面の温度を、所定の温度（４０℃）以上、所定の時間（６０分）継続できるため、カビの発生を抑制することができるミスト機能付き浴室暖房乾燥機を提供できる。
【００４１】
したがって、例えば、サウナ装置、加湿装置、冷却装置、噴霧装置、洗浄装置、植物育成設備等への活用が期待される。また、きのこ栽培等、湿熱空気を利用する設備にも利用することが可能である。
【符号の説明】
【００４２】
１    浴室
２    天井面
３    本体
４    浴室壁面
５    浴室リモコン
６    通信ケーブル
７    吸込口
８    排気口
９    本体ケース
１０  熱交換器
１１  ファンモータ
１２  ミスト発生手段
１３  本体制御手段
１４  筒状の経路
１５  貯水部
１６  給水弁
１７  給水管
１８  揚水管
１９ａ、１９ｂ、１９ｃ  回転板
２０ａ、２０ｂ  開口部
２１  回転モータ
２２  本体制御マイコン
２３  本体通信部
２４  温度検出手段
２５  リモコン制御手段
２６  リモコン制御マイコン
２７  リモコン通信部
２８  操作部
２９  表示部
３０  表ケース
３１  裏ケース
３２  勘合部
３３ａ、３３ｂ  開口部
３４  化粧パネル
３５  ケーブル引込用開口
３６  ウレタンシート
【図１】
2014161338.tif 000003
【図２】
2014161338.tif 000004
【図３】
2014161338.tif 000005
【図４】
2014161338.tif 000006
【図５】
2014161338.tif 000007
【図６】
2014161338.tif 000008